(57)【要約】      （修正有）【課題】記録メディアの種別判定において、記録メディアを測定する測定位置への位置決めを容易とする。【解決手段】記録メディア識別装置は、複数種の記録メディア２の種別を識別し、識別した種別に対応するコネクタ３と記録メディア２との接続を案内するものであり、記録メディア２の装置内への挿入および装置外への排出を行う記録メディア挿入／排出部１０と、装置内に挿入された記録メディア２の種別を識別する記録メディア識別部３０と、記録メディア挿入／排出部１０と記録メディア識別部３０との間において記録メディア２を搬送する記録メディア搬送部２０と、装置内に挿入された記録メディア２のコネクタ３内への装着、およびコネクタ３外への取り外しを行う記録メディア着脱部４０を備える。【選択図】図１
2008257281.tif 000002
【特許請求の範囲】
【請求項１】
記録メディアが挿入される挿入口と、挿入されたメディアが接続される複数のコネクタとを有し、挿入された記録メディアの種別を識別する記録メディア識別装置において、
前記コネクタは、記録メディアの装着および取り外しを案内するスロットを有するとともに前記挿入口と相対的に移動可能であり、挿入された記録メディアの挿入方向の先端部分と当接し、前記記録メディアの挿入方向の位置決めを行うストッパ部を前記コネクタと共に移動自在に備えたことを特徴とする、記録メディア識別装置。
【請求項２】
前記ストッパ部を、前記スロットの外周部に設けたことを特徴とする、請求項１に記載の記録メディア識別装置。
【請求項３】
前記複数のコネクタを、各スロットが同一平面上で上下方向に重なるようにコネクタラックに配置し、
隣接するスロット間で挟まれるコネクタラックの端部面により前記ストッパ部を構成することを特徴とする、請求項１に記載の記録メディア識別装置。
【請求項４】
前記複数のコネクタを、各スロットが同一平面上で上下方向に重なるようにコネクタラックに配列し、使用頻度の高いコネクタのスロットを配列の中央側に配置し、
当該使用頻度の高いコネクタのスロットに対して前記ストッパ部を設けることを特徴とする、請求項２又は３に記載の記録メディア識別装置。
【請求項５】
複数のストッパ部を有し、
使用頻度の高いコネクタのスロットの最も近くに設けたストッパ部を初期位置のストッパ部とし、
記録メディアの識別動作始動時又は識別動作終了時に、当該ストッパ部が初期位置となるようにコネクタを位置合わせすることを特徴とする、請求項４に記載の記録メディア識別装置。
【請求項６】
前記コネクタの初期位置は、前記ストッパ部のレベルを記録メディア搬送部が支持する記録メディアのレベルと同じとする高さであることを特徴とする、請求項５に記載の記録メディア識別装置。
【請求項７】
前記複数のコネクタを、各スロットが同一平面上で上下方向に重なるようにコネクタラックに配列するとともに上下方向に移動自在であり、
前記コネクタラックのコネクタの上下方向の配置順は、記録メディアの識別頻度又はコネクタの利用頻度に応じて定めることを特徴とする、請求項１に記載の記録メディア識別装置。
【請求項８】
前記記録メディアの装置内への挿入および装置外への排出を行う記録メディア挿入／排出部と、
前記装置内に挿入された記録メディアの種別を識別する記録メディア識別部と、
前記記録メディア挿入／排出部と記録メディア識別部との間において記録メディアを搬送する記録メディア搬送部と、
前記装置内に挿入された記録メディアの前記コネクタ内への装着、および前記コネクタ外への取り外しを行う記録メディア着脱部とを備え、
前記コネクタは、記録メディアの装着および取り外しを案内するスロットと、挿入された記録メディアの挿入方向の先端部分と当接するストッパ部とを備え、
前記記録メディア搬送部により記録メディアを前記ストッパ部に当接させることによって、当該記録メディアを位置合わせすることを特徴とする、請求項１に記載の記録メディア識別装置。
【請求項９】
前記コネクタを移動するコネクタ移動部および当該コネクタ移動部の移動を制御するコネクタ移動制御部とを備え、
前記記録メディア搬送部は、記録メディアを前記ストッパ部に押し当てて記録メディアを位置決めし、前記記録メディア識別部による記録メディアのメディア種類を識別した後、記録メディアをストッパ部から離間させ、
前記コネクタ移動制御部は、前記コネクタ移動部を駆動して、前記記録メディアに対する位置合わせ位置を前記ストッパ部から前記スロットに移動させること特徴とする、請求項８に記載の記録メディア識別装置。
【請求項１０】
前記コネクタ移動制御部は、
コネクタの移動履歴を記憶する記憶手段と、
前記記憶手段から読み出した位置履歴に基づいてコネクタの利用頻度を算出する算出手段と、
前記算出した利用頻度に基づいてコネクタの初期位置を定める初期位置設定手段とを備え、
コネクタの利用頻度に基づいてコネクタの初期位置を定めることを特徴とする、請求項９に記載の記録メディア識別装置。 
【発明の詳細な説明】
【技術分野】
【０００１】
本発明は、挿入口から取り込んだ記録メディアに種別を識別し、識別した記録メディアを対応するコネクタに接続する記録メディア識別装置に関する。
【背景技術】
【０００２】
記録メディアを挿入し、この記録メディアに書き込まれている画像データを読み取って、印刷する画像印刷装置が知られている。この記録メディアとして、例えば、miniSD（商標）、ＳＤ（商標）、スマートメディア（商標）、メモリースティック（商標）、MMC（商標）、RS-MMC（商標）、xD−Picture Card（商標）、コンパクトフラッシュ（登録商標）、マイクロドライブ（登録商標）等がある。
【０００３】
これら多種類の記録メディアを一台の装置で対応する画像印刷装置が提案されている（例えば、特許文献１〜３）。
【０００４】
特許文献１に示される画像印刷装置には、記録メディアであるメモリカードの種類を識別するために、メモリカードを挟んで光源と光センサを配置し、メモリカードによって遮られる領域の大きさからメモリカードの種類を判別し、挿入されたメモリカードに対応するカードスロットを移動させて接続することが開示されている。
【０００５】
特許文献２に示される画像印刷装置には、記録メディアであるメモリカードの種類を識別するために、細分化された部材を摺動させてメモリカードに当接させ、この摺動部材によって奥行き、幅、厚みを測定することでメモリカードの種類を判別する他、２次元状に配置した赤外線センサによって奥行き、幅、及び面積を測定することでメモリカードの種類を判別することが開示されている。
【０００６】
特許文献３に示される画像印刷装置には、記録メディアであるメモリカードの種類を識別するために、カメラによって撮像した画像と予め用意しておいた種類を特定するための画像とを比較することが開示され、また、種類を識別した後、対応するコネクタを上下動させて選択し、さらに選択したコネクタをスライド移動させることでることでメモリカードと接合させることが開示されている。
【０００７】
【特許文献１】特開平１１−３２１０１８号公報
【特許文献２】特開２００５−７８１９２号公報
【特許文献３】特開２００５−２３５０６３号公報
【発明の開示】
【発明が解決しようとする課題】
【０００８】
上記した特許文献１では、メモリカードで遮られる領域の大きさからメモリカードの種類を判別しているため、メモリカードの表裏判別や挿入された前後の判別はなされていない。そのため、記録メディアが予め定められた向き以外で挿入された場合には記録メディアの種別判定を適切に行うことがでない場合がある。
【０００９】
特許文献２では、摺動部材による奥行き、幅、厚みの測定でメモリカードの種類を判別する場合には、部材とメモリカードとの当接状態が不良である場合には、誤検出するおそれがある他に、赤外線センサによる奥行き、幅、及び面積の測定でメモリカードの種類を判別する場合には、多数個のセンサが必要となるという問題がある。
【００１０】
また、特許文献２では、挿入されたメモリカードの表裏の判定を、表裏検出用のセンサでメモリカードの切り欠きを検出したり、切り欠きを有していないメモリカードの場合には、メモリカードの挿入の有無を検出することで、メモリカードの表裏判別を行っている。しかしながら、切り欠き用センサによってメモリカードの表裏判別を検出する場合には、誤検出を回避するためにメモリカードの測定位置への位置決め精度が必要であるという問題があり、また、メモリカードの挿入の有無によってメモリカードの表裏判別を検出する場合には、メモリカードの挿入の有無を検出す手段を別途用意する必要があるという問題がある。
【００１１】
また、メモリカードの種類の判別を行う際に、メモリカードの一方向の奥行き方向の位置決めを行うために、挿入口の蓋をメモリカードのストッパとして使用している。そのため、挿入口を開閉し、閉じた状態においてメモリカードを保持させる機構が必要となるという問題がある。
【００１２】
また、特許文献３では、記録メディアの画像を撮像するためのカメラが必要であり、また、記録メディアの種別判定のための比較画像を予め用意しておく必要があるという問題がある他、前記特許文献２が備える問題と同様に、記録メディアを測定位置に位置決めする位置決め精度が必要であるという問題がある。また、この他に、コネクタの上下方向への移動に加えて、記録メディアと接合させるためにコネクタを記録メディアに対して移動させる必要があり、コネクタの移動機構が複雑になるという問題もある。
【００１３】
そこで、本発明は従来の問題を解決し、記録メディアの種別判定において、記録メディアを測定する測定位置への位置決めを容易とすることを目的とする。
【００１４】
また、記録メディアを装置内に確実に取り込むことを目的とする。
【００１５】
また、記録メディア種別に応じたコネクタに対する記録メディアの挿入を、簡易な構成で行うことを目的とする。
【課題を解決するための手段】
【００１６】
複数種の記録メディアからデータを読み出すためには、その記録メディアの種別を識別し、その種別に対応したコネクタに接続する必要がある。
【００１７】
このような装置では、種々の記録メディアからデータを読み出すために複数のコネクタを備え、これら複数のコネクタの中から、装置内に挿入した記録メディアの種別に対応するコネクタを選び出し、選び出したコネクタに記録メディアを装着し、装着した記録メディアからデータを読み出す。
【００１８】
コネクタの選択は、識別した記録メディアの種別に基づいて行う。記録メディアの種別の判定は、記録メディアの長さ、幅、切り欠きの有無、反射状態等を所定位置に配置したセンサによって行う。このセンサによる判定を行うには、センサが設置された位置に対して記録メディアを所定の位置に位置決めする必要がある。
【００１９】
本発明の記録メディア識別装置は、記録メディアが挿入される挿入口と、挿入されたメディアが接続される複数のコネクタとを有し、挿入された記録メディアの種別を識別する記録メディア識別装置において、コネクタは、記録メディアの装着および取り外しを案内するスロットを有するとともに挿入口と相対的に移動可能であり、挿入された記録メディアの挿入方向の先端部分と当接し、記録メディアの挿入方向の位置決めを行うストッパ部をコネクタと共に移動自在に備えたことを特徴とする。
【００２０】
これにより、ストッパを移動させる駆動機構を不要とすることができる。したがって、前記したように開閉機構等の複雑な構成を要することなく、所定位置に容易に位置決めすることができる。
【００２１】
本発明の記録メディア識別装置は、ストッパ部をスロットの外周部に設けたことを特徴とする、ストッパ部をストッパの外周部に設けることで、コネクタの移動量を少なくすることができる。
【００２２】
本発明の記録メディア識別装置が備える複数のコネクタは移動自在であり、これらコネクタが共有する一つの挿入口から記録メディアを挿入し排出する。コネクタ部分にはストッパ部が設けられ、挿入口から挿入された記録メディアの挿入方向の先端部分をストッパ部に当接することによって、記録メディアに対する位置決めを行う。これにより、ストッパを移動させる駆動機構を不要とすることができる。
【００２３】
ストッパ部の一形態は、スロットの外周部に設ける機構とする。ストッパ部をスロットの外周部に設けることで、コネクタの移動量を少なくすることができる。
【００２４】
例えば、スロットの上辺、下辺、左右の側辺、の少なくとも何れかの辺にストッパ部を構成する部材を取り付ける。ストッパ部を構成する部材は、記録メディアが当接する位置によって位置決めを行うため、スロット位置からの突出量を記録メディアの位置決め位置に応じて定め、これによって記録メディアの奥行き方向の位置を所定位置に定める。
【００２５】
ストッパ部の他の形態は、複数のコネクタを、各スロットが同一平面上で上下方向に重なるようにコネクタラックに配置し、隣接するスロット間で挟まれるコネクタラックの端部面をストッパ部とする構成である。
【００２６】
スロット間のコネクタラックの面をストッパ部とする形態では、何ら格別な部材を用いることなくストッパ部を構成することができる。
【００２７】
また、複数のコネクタを、各スロットが同一平面上で上下方向に重なるようにコネクタラックに配列し、使用頻度の高いコネクタのスロットを配列の中央側に配置するとともに、この使用頻度の高いコネクタのスロットに対してストッパ部を設ける。
【００２８】
このように、使用頻度の高いコネクタを上下方向に配列したコネクタラックの中央側に設け、さらに、このコネクタにストッパ部を設けることによって、記録メディアに対応させて移動させるコネクタの移動量をトータルで減少させることができる。
【００２９】
これは、挿入された記録メディアをストッパ部に当接させて、記録メディアの識別を行った際、そのときに対応するコネクタが識別したコネクタと異なる場合には、対応するスロットまで移動させる必要があるが、使用頻度の高いコネクタを中央付近に配置することで、移動頻度と移動距離で定まる移動量をトータルで減少させることができる。
【００３０】
また、複数のコネクタを、各スロットが同一平面上で上下方向に重なるようにコネクタラックに配列するとともに上下方向に移動自在とし、このコネクタラックのコネクタの上下方向の配置順を、記録メディアの識別頻度又はコネクタの利用頻度に応じて定めるようにしてもよい。
【００３１】
この配置順は、記録メディアの識別頻度又はコネクタの利用頻度の順に沿って順次に、例えば上下方向に配置する他、前記したように中央付近から順に外側に向かって、例えば、上下に交互に配置してもよい。
【００３２】
なお、配置順を記録メディアの識別頻度にしたがって定める場合には、記録メディアの識別結果の履歴情報に基づいて識別頻度を求めることができる。また、配置順をコネクタの利用頻度にしたがって定める場合には、コネクタ利用の履歴情報やコネクタを移動する移動履歴に基づいて識別頻度を求めることができる。
【００３３】
また、複数のストッパ部を有する構成において、使用頻度の高いコネクタのスロットの最も近くに設けたストッパ部を初期位置のストッパ部とし、記録メディアの識別動作始動時又は識別動作終了時に、このストッパ部が初期位置となるようにコネクタを位置合わせする。
【００３４】
これによって、記録メディアの識別を行う際には、コネクタラックにおけるコネクタの初期位置には、使用頻度の高いコネクタのスロットの最も近くに設けられたストッパ部が対応することになり、コネクタの移動量を低減させることができる。仮に、コネクタラックにおけるコネクタの初期位置が、使用頻度の低いコネクタのスロットの近辺のストッパ部である場合には、その初期位置から識別によって判明した記録メディアに対応するコネクタを移動させる必要があり、移動時間を要することになる。
【００３５】
また、コネクタの初期位置の設定において、ストッパ部のレベルが、記録メディア搬送部が支持する記録メディアのレベルと同じとなる高さに設定する。このストッパ部のレベルと記録メディアのレベルとを合わせておくことによって、記録メディア搬送部が支持し搬送する記録メディアをそのまま移動させて、先端部をストッパ部に当接させて、記録メディアの位置決めを行うことができる。
【００３６】
本発明の記録メディア識別装置は、記録メディアの装置内への挿入および装置外への排出を行う記録メディア挿入／排出部と、装置内に挿入された記録メディアの種別を識別する記録メディア識別部と、記録メディア挿入／排出部と記録メディア識別部との間において記録メディアを搬送する記録メディア搬送部と、装置内に挿入された記録メディアの前記コネクタ内への装着、および前記コネクタ外への取り外しを行う記録メディア着脱部とを備えた構成とすることができる。
【００３７】
この構成による記録メディア識別装置では、記録メディアの装着および取り外しを行うスロットと、挿入された記録メディアの挿入方向の先端部分と当接するストッパ部とを備え、記録メディア搬送部により記録メディアをストッパ部に当接させることによって、記録メディアを位置合わせする。
【００３８】
また、コネクタを移動するコネクタ移動部およびこのコネクタ移動部の移動を制御するコネクタ移動制御部とを備えた構成とすることができる。
【００３９】
この構成によれば、記録メディア搬送部は、記録メディアをストッパ部に押し当てて記録メディアを位置決めし、記録メディア識別部による記録メディアのメディア種類を識別した後、記録メディアをストッパ部から離間させる。
【００４０】
この記録メディアをストッパ部に押し当てて位置決めした状態は、記録メディアをストッパ部と同レベルに位置合わせされた状態であり、このままでは、記録メディアはスロット内に装着させることはできない。そこで、スロットが記録メディアのレベルとなるようにコネクタを移動させる。コネクタを移動させて、スロットと記録メディアとが同レベルとなることで、記録メディアをスロット内に装着させることができる。
【００４１】
記録メディアがストッパ部に当接したままの状態でコネクタを移動させると、記録メディアに支障が起きるおそれがあるため、記録メディア搬送部は前記したように、記録メディアをストッパ部から離間させる。コネクタ移動制御部は、この記録メディアをストッパ部から離間させた状態においてコネクタ移動部を駆動し、記録メディアに対する位置合わせ位置をストッパ部からスロットに移動させる。
【００４２】
また、コネクタ移動制御部は、コネクタの移動履歴を記憶すると、記憶手段から読み出した位置履歴に基づいてコネクタの利用頻度を算出する算出手段と、算出した利用頻度に基づいてコネクタの初期位置を定める初期位置設定手段とを備えた構成によって、コネクタの初期位置を求めるようにしてもよい。
【００４３】
この構成によれば、コネクタの利用状況を更新して利用頻度を求め、これに基づいてコネクタの初期位置を定めることができる。
【発明の効果】
【００４４】
本発明の記録メディア識別装置によれば、記録メディアの種別判定において、記録メディアを測定する測定位置への位置決めを容易とすることができる。
【００４５】
本発明の記録メディア識別装置によれば、記録メディアを装置内に確実に取り込むことができ、また、記録メディアを装置外に確実に排出することができる。
【００４６】
本発明の記録メディア識別装置によれば、記録メディア種別に応じたコネクタに対する記録メディアの挿入を、簡易な構成で行うことができる。
【発明を実施するための最良の形態】
【００４７】
以下、本発明の記録メディア識別装置について図を用いて詳細に説明する。
【００４８】
はじめに、図１〜図７を用いて本発明の記録メディア識別装置、および記録メディア識別装置が備える記録メディア搬送部の概略構成および概略動作を説明し、図８〜図１５を用いて本発明の記録メディア識別装置が備える記録メディア挿入／排出部の概略構成および概略動作を説明し、図１６〜図１９を用いて本発明の記録メディア識別装置が備える記録メディア識別部の概略構成および概略動作を説明し、図２０〜図２２を用いて本発明の記録メディア識別装置が備える記録メディア着脱部の概略構成および概略動作を説明し、図２３〜図２６を用いて本発明の記録メディア識別装置による一連の動作を説明し、図２７を用いて本発明の記録メディア識別装置の制御系を説明する。
【００４９】
はじめに、本発明の記録メディア識別装置、および記録メディア識別装置が備える記録メディア搬送部の概略構成および概略動作について説明する。
【００５０】
図１、図２は本発明の記録メディア識別装置の概略構成を説明するためのブロック図および概略構成図である。図１、図２において、本発明の記録メディア識別装置１は、装置内へ記録メディア２を挿入し、また、装置外へ排出する記録メディア挿入／排出部１０と、装置内に挿入された記録メディア２の種別を識別する記録メディア識別部３０と、記録メディア挿入／排出部１０と記録メディア識別部３０との間で、記録メディア２を搬送する記録メディア搬送部２０と、装置内に挿入された記録メディア２をコネクタ３内へ挿入して読み取り可能な状態に装着し、また、コネクタの装着された記録メディア２をコネクタ３から取り外しコネクタ３外へ抜き取る記録メディア着脱部４０とを備える。
【００５１】
記録メディア挿入／排出部１０は、記録メディア２を装置内に取り込む。記録メディア搬送部２０は、取り込んだ記録メディア２を記録メディア識別部３０に搬送し、記録メディア２の先端部をコネクタラック４の端部面に当接させる。これによって、記録メディア２は、記録メディア識別部３０において常に所定の位置に位置決めされる。
【００５２】
記録メディア識別部３０は、記録メディア２の種別を識別し、この記録メディア２の種別に対応したコネクタ３を選択する。コネクタラック４は上下動して、選択されたコネクタ３を記録メディア２と同じ高さに位置合わせする。
【００５３】
記録メディア着脱部４０は、記録メディア２の後端部をコネクタ３側に向けて押してコネクタ３内に装着し、記録メディア２とコネクタ３との接続を行う。記録メディア２のコネクタ３への搬送は、メディア搬送用ローラ２２とサイドガイド２３に設けたプレッシャーローラ２４によって行われる。記録メディア２は、駆動ローラを構成するメディア搬送用ローラ２２と、従動ローラを構成するプレッシャーローラ２４とのよって挟まれることで搬送が行われる。サイドガイド２３には、少なくとも一つのプレッシャーローラ２４をコネクタ３側に、バネ等によってメディア搬送用ローラ２２側に向かって付勢されて設けられている。
【００５４】
記録メディア２をコネクタ３内に搬入する場合には、プレッシャーローラ２４が記録メディア２の側面と接触し、回転するメディア搬送用ローラ２２の回転とプレッシャーローラ２４との間に挟んだ状態で記録メディア２を移動させて、コネクタ３内に挿入する。記録メディア２の端部がプレッシャーローラ２４やメディア搬送用ローラ２２から外れた後は、記録メディア２は記録メディア着脱部４０が備えるプッシュレバー４１によってコネクタ３内に押し込まれる。コネクタ３内に記録メディア２が挿入されると、記録メディア２に記録されるデータはコネクタ３によって読み取られ、画像印刷される。
【００５５】
データの読み取りが終了した後、記録メディア着脱部４０は、記録メディア２の後端部を押すことで、記録メディア２をコネクタ３から取り外す。プッシュ−プッシュ型のコネクタ３を用いることによって、記録メディア２の後端部を押すことだけで記録メディア２の装着、取り外しが行われる。
【００５６】
記録メディア搬送部２０は、コネクタ３から取り外された記録メディア２を記録メディア挿入／排出部１０に搬送する。記録メディア２をコネクタ３から取り外す場合には、プッシュレバー４１によって記録メディア２を押す。これにより、プッシュ−プッシュ型のコネクタ３は、記録メデイア２の装着を解除し押し出す。記録メデイア２がコネクタ３のスロットから押し出されると、プレッシャーローラ２４はコネクタ３から押し出された記録メディア２の先端側の側面と接触する。記録メディア２は、メディア搬送用ローラ２２とプレッシャーローラ２４との間に挟まれる。メディア搬送用ローラ２２とプレッシャーローラ２４は、記録メディア２を間に挟んで状態で、ローラの回転によって記録メディア２を移動し、コネクタ３外に搬出する。搬送された記録メディア２は、記録メディア挿入／排出部１０によって装置外に排出される。
【００５７】
なお、サイドガイド２３に設けられるプレッシャーローラ２４はコネクタ３側に一つのみを設ける構成に限らず、コネクタ３側に設けたローラに加えてサイドガイド２３に沿って複数個を設ける構成としてもよい。
【００５８】
図２において、記録メディア挿入／排出部１０は、回動自在に支持されるとともに、挿入口を遮蔽する角度位置に付勢されるシャッター１１と、駆動モータ（図示していない）により駆動される挿入ローラ１３と、記録メディア２を挿入ローラ１３に押圧する従動ローラ１４とを有し、記録メディア２の挿入および排出を行うローラ駆動部１５とを備える。
【００５９】
ローラ駆動部１５は、シャッター１１の回動に応じて従動ローラ１４の高さ位置を定め、挿入された記録メディア２の厚さに応じて挿入ローラ１３と従動ローラ１４との間隔を定める。
【００６０】
記録メディア搬送部２０は、記録メディア２をスライド自在に支持するテーブル２１と、このテーブル２１に固定され、記録メディア２を記録メディア２の挿入方向に搬送するメディア搬送用ローラ２２と、テーブル２１に対して記録メディア２の挿入方向と直交する方向に移動自在であり、記録メディア２をメディア搬送用ローラ２２の方向に押すプレッシャーローラ２４を有し、このプレッシャーローラ２４によって記録メディア２を幅方向に整列させるサイドガイド２３を備える。
【００６１】
記録メディア２は、プレッシャーローラ２４によりメディア搬送用ローラ２２に押し付けられることで幅方向に整列され、この状態でメディア搬送用ローラ２２によって挿入方向に移動される。
【００６２】
プレッシャーローラ２４によって記録メディア２をメディア搬送用ローラ２２に押し付けることで、記録メディア２の幅寸法が異なる場合であっても、記録メディア２の一方の側部の位置をメディア搬送用ローラ２２の位置に位置決めすることができるとともに、メディア搬送用ローラ２２による搬送を、空回りすることなく行うことができる。
【００６３】
なお、メディア搬送用ローラ２２は、挿入ローラ１３とともにメディアフィードモータ（図示していない）によって駆動され、サイドガイド２３はサイドガイドモータ（図示していない）によって駆動される。
【００６４】
記録メディア識別部３０は、複数の透過型センサ３１と少なくとも一つの反射型センサ３２とを備える。透過型センサ３１は、搬送されて所定位置に位置決めされた記録メディア２の角部を検出する位置に設置し、検出信号に基づいて記録メディア２の種別、又は記録メディアの種別と記録メディア２の表裏を識別する。一方、反射型センサ３２は、所定位置にある記録メディア２の電気端子を検出する位置に設置し、検出信号に基づいて記録メディア２の表裏を識別する。
【００６５】
この記録メディアの識別において、複数のコネクタ３を配置するコネクタラック４のラック端面４ａを位置決めの指標とし、記録メディア搬送部２０により記録メディア２をラック端面４ａに当接させることによって、記録メディア２を位置決めする。位置決めの指標としては、上記したコネクタラック４のラック端面４ａの他に、コネクタラック４の挿入口側に設けたストッパ４ｂを用いてもよい。何れを位置決めの指標とした場合であっても、コネクタラック４の挿入口側の端部位置を位置決めの基準位置とすることができ、記録メディア２の先端を当接させるだけで、記録メディアの奥行き方向において常に同じ位置に位置決めすることができる。
【００６６】
また、コネクタラック４を単に上下動させることで、ラック端面４ａあるいはストッパ４ｂとの当接を解除すると共に、記録メディア２をコネクタ３の挿入口の高さに位置合わせすることができる。記録メディアを基準位置に位置決めすることで、記録メディアの識別を容易に行うことができる。
【００６７】
なお、ストッパ４ｂは、隣接するコネクタ３の間の位置、挿入口の周囲の何れの位置であって、記録メディア２の挿入時には干渉しない位置等に設けられる。ストッパ４ｂを設ける場合には、このストッパ４ｂの先端位置が、位置決めの基準位置となる。
【００６８】
記録メディア着脱部４０は、記録メディア２の後端部を押すプッシュレバー４１を有し、プッシュレバー４１に設けられたアームをガイドロッド（図示していない）に沿って移動させ、アーム端部をガイド溝に沿って案内させることによってプッシュレバーを記録メディアの後端部に当接させる。これによって、コネクタ３に対する記録メディア２の装着および取り外しを行って着脱する。
【００６９】
次に、本発明の記録メディア識別装置において、記録メディアの識別処理を行う位置に位置決めする構成と動作について、図３〜図９を用いて説明する。
【００７０】
記録メディアの位置決めは、コネクタラックのスロット側に記録メディアの奥行き方向の端部を当接させることで行う。この記録メディアの端部と当接する当接部分は、上述したように、隣接するコネクタ間のコネクタラックのラック端面４ａを利用する他に、コネクタのスロットの近傍に設けたストッパ部４ｂを用いることができる。
【００７１】
図３は記録メディアの位置決め部位を説明するための図であり、コネクタラックをスロット側から見た図である。なお、図で示すコネクタの寸法比やコネクタの配置は一例であって、実際の状態を示すものではない。
【００７２】
図３では、７種のコネクタ３を上下方向に配列した例を示している。これらのコネクタ３の配列順は任意とすることができるが、コネクタ３の利用頻度に応じて定めることができる。なお、コネクタ３は、挿入された記録メディア（図示していない）の種別に応じて選択されるため、コネクタ３の配列順は記録メディアの利用頻度にも対応する。
【００７３】
コネクタ３は、そのスロット３ａの開口面が同一面となるように互いに隣接させると共に、隣接するスロット３ａの間にコネクタラック４のラック端面４ａを挟んで配列する。例えば、図中に示すスロット３ａ１とスロット３ａ２とは、ラック端面４ａを挟んで配列される。このラック端面４ａはコネクタラックの構成部分であるため、記録メディア２を識別するセンサ位置に対して固定している。したがって、ラック端面４ａは、記録メディア２を識別する際の基準位置として用いることができる。装置内に挿入された記録メディア２の奥行き方向の先端を、このラック端面４ａに当接させることで、記録メディア２の位置決めを行うことができる。
【００７４】
また、各コネクタ３のスロット３ａの外周部分にストッパ部４ｂを設け、このストッパ部４ｂを記録メディア２の位置決めの基準位置として用いることができる。このストッパ部４ｂは、スロット３ａの外周部分において、記録メディア２をスロット３ａに対して装着あるいは取り外す際に、記録メディア２と干渉しない位置であれば、任意の位置に設けることができる。ストッパ部４ｂをスロット３ａの上下の辺や側辺に設けることができる。また、設ける個数も任意とすることができる。
【００７５】
図３では、スロット３ａ１に対してストッパ部４ｂ１を設け、スロット３ａ２に対してストッパ部４ｂ２を設けた例を示している。図３では、各スロットに対してストッパ部を個別に設ける例を示しているが、隣接するスロットの場合にはストッパ部を共通させて設けることもできる。
【００７６】
記録メディアの種別を識別した後、コネクタラックを移動させることによって、搬送手段上に支持される記録メディアのレベルに対応するコネクタを選択して位置合わせする。コネクタラックの移動は、コネクタ移動部やコネクタ移動制御部を含む移動機構によって行うことができる。
【００７７】
このコネクタラックを移動する移動機構は、記録メディアに対してコネクタを選択する他、コネクタラックの初期位置の設定に用いることができる。コネクタラックの初期位置は任意のストッパをデフォルトによって定めておくこともできるが、コネクタの使用頻度に対応させて変更することができる。初期位置をコネクタの使用頻度に合わせて変更することによって、識別した記録メディアの種別に対してコネクタを選択し移動させる際に、初期位置からの移動時間および移動量を低減させることができる。
【００７８】
図４は、コネクタラックの移動機構の一構成例を説明するための図である。なお、図４に示す構成は一例であってこの構成に限られるものではない。
【００７９】
コネクタラックの移動機構は、コネクタラックを移動させるコネクタ移動部３ｂとこのコネクタ移動部３ｂの移動を制御するコネクタ移動制御部３ｃを備える。コネクタ移動制御部３ｃは、コネクタ移動部３ｂに移動位置を指示する移動位置設定部３ｃ１、コネクタの使用状態を判定するコネクタ位置頻度算出部３ｃ２、および記憶部を備える。記憶部には、初期位置３ｃ３，メディア／コネクタテーブル３ｃ４，コネクタ移動履歴３ｃ５等が記憶されている。
【００８０】
初期位置３ｃ３は、ストッパ部の初期位置とスロットの初期位置を含み、移動位置設定部３ｃ１に初期位置を読み出し、コネクタラックを初期状態の位置決めする際の位置データとして用いる。メディア／コネクタテーブル３ｃ４には記録メディアと対応するコネクタとの関係が設定されており、メディア識別部３０で識別されたメディア種に応じたコネクタ情報を読み出して移動位置設定部３ｃ１に送る。移動位置設定部３ｃ１は、送られたコネクタ情報に基づいてコネクタ移動部３ｂを制御して、識別した記録メディアに対応するコネクタを所定位置に移動させる。
【００８１】
コネクタ位置履歴３ｃ５には、移動位置設定部３ｃ１から移動コネクタ位置の情報を入力し、コネクタ位置の履歴を記録する。コネクタ位置頻度算出手段３ｃ２は、このコネクタ位置履歴の情報を用いてコネクタ位置頻度を算出する。初期位置３ｃ３は、コネクタ位置頻度算出手段３ｃ２で算出して得られた最頻度コネクタ位置によって更新される。
【００８２】
次に、コネクタの移動動作の動作例を、前記した図４の構成図、図５のフローチャート、図６〜図９の動作図を用いて説明する。
【００８３】
はじめに、移動位置設定部３ｃ１は、記録手段から初期位置３ｃ３を読み込む。なお、この初期位置３ｃ３には、ストッパ部の初期位置の他にスロットの初期位置を含むことができる。ストッパ部の初期位置は、記録メディアを位置決めする際に、ストッパ部を記録メディアと同レベルの高さに合わせるために用いられる。また、スロットの初期位置は、記録メディアの位置決めを行った後、その初期位置のストッパ部に対応するスロットに記録メディアをそのまま装着する場合に、スロットを記録メディアと同レベルの高さに合わせるために用いられる（Ｓａ）。
【００８４】
コネクタ移動部３ｂの現在位置が、Ｓａの工程で読み込んだ初期位置と異なる場合には（Ｓｂ）、移動位置設定部３ｃ１は、コネクタ移動部３ｂに指示してストッパを初期位置に移動する（Ｓｃ）。図６（ａ）は上記Ｓａ〜Ｓｃの工程の状態を示している。
【００８５】
コネクタ移動部３ｂの現在位置がＳａの工程で読み込んだ初期位置であるとき（Ｓｂ）、あるいはＳｃの工程でストッパを初期位置に移動した後、記録メディア搬送部によって記録メディアをコネクタ側に向かって搬送し、記録メディアの奥行き方向の先端部を当接部（以下、ストッパ部で説明する）に当接させて位置決めを行う（Ｓｄ）。
【００８６】
Ｓｄの工程による位置決めした状態において、記録メディア識別部３０は記録メディアのメディア種を識別する（Ｓｅ）。コネクタ移動制御部３ｃは、記録メディア識別部３０から識別したメディア種の情報を入力し、メディア／コネクタテーブル３ｃ４に基づいて対応するコネクタ情報を読み出す（Ｓｆ）。移動位置設定部３ｃ１は、コネクタ情報に基づいて移動すべきコネクタを決定する。初期位置のストッパ部の位置から選択されたコネクタのスロットの位置までの移動を行う。図６（ｂ）は上記Ｓｄ〜Ｓｆの工程の状態を示している。
【００８７】
この移動において、メディア識別時には、記録メディアの先端部はストッパ部に当接しているため、このままではコネクタラックを移動させることはできない。そこで、記録メディア搬送部によって、記録メディアを当接位置から一旦後退させて、ストッパ部から離した後（Ｓｇ）、移動位置設定部３ｃ１はコネクタ移動部３ｂにスロット位置への移動を指令して、コネクタラックを移動させる（Ｓｈ）。図７（ａ）は上記Ｓｇの工程の状態を示し、図７（ｂ）は上記Ｓｈの工程の状態を示し、図７（ｂ）の矢印はコネクタの移動を示している。
【００８８】
コネクタのスロット位置を記録メディアの位置に位置合わした後、記録メディア搬送部および記録メディア着脱部４０によってスロットを通してコネクタ内に記録メディアを挿入し装着させる（Ｓｉ）。
【００８９】
コネクタは、装着した記録メディアからデータを読み取った後（Ｓｊ）、記録メディアを取り出す（Ｓｋ）。記録メディア着脱部４０はコネクタから記録メディアを取り外し、記録メディア搬送部は取り外した記録メディアを挿入口側に向かって搬送する。図（８）は上記Ｓｉ，Ｓｊの工程の状態を示し、図８（ｂ）は上記Ｓｋの工程の状態を示している。図８の矢印は記録メディアの移動を示している。
【００９０】
移動位置設定部３ｃ１は、記録メディアがコネクタから取り外されたことを確認すると、ストッパ部の初期位置３ｃ３を読み出して（Ｓｌ）、コネクタラックを初期位置に移動する。これによって、次の記録メディアの位置決めに備える（Ｓｍ）。
【００９１】
上記処理中において、Ｓｎ〜Ｓｐの工程によってコネクタラックの初期位置の更新を行うことができる。コネクタラックの初期位置の更新は、Ｓｆの工程の後、移動コネクタの位置情報に基づいてコネクタ位置履歴３ｃ５を更新し（Ｓｎ）、コネクタ位置頻度算出部３ｃ２によってコネクタ頻度を算出し（Ｓｏ）、コネクタ初期位置３ｃ３を更新する（Ｓｐ）。
【００９２】
図９は、コネクタ初期位置の変更を説明する図である。図９（ａ）は、スロット３ａ１に対応するストッパ部４ｂ１を初期位置とする状態を示し、図９（ｂ）は、スロット３ａ２に対応するストッパ部４ｂ２を初期位置とする状態を示している。初期位置がストッパ部４ｂ１からストッパ部４ｂ２に変更された場合には、図９（ｂ）中に矢印で示すようにコネクタを移動させて初期位置を変更し、この位置において、次の記録メディアを位置決めして識別を行う。
【００９３】
次に、図１０の動作フローチャート、および図１１〜図１４の動作図を用いて、本発明の記録メディア識別装置の動作例を説明する。なお、図１１，１２は記録メディアをコネクタに装着する動作を示し、図１３，１４は記録メディアをコネクタから取り外して記録メディア識別装置から取り出す動作を示している。
【００９４】
はじめに、記録メディアをコネクタに装着する動作について説明する。記録メディア２の前端部（電極を備える端子側端部）を記録メディア識別装置１の挿入口１９のシャッター１１に押し当て、シャッター１１を回動させて開く（図１１（ａ）），（Ｓ１）。
【００９５】
記録メディア挿入／排出部１０は、シャッター１１の回動動作に連動して従動ローラ１４を上方に移動させ、記録メディア２をこの従動ローラ１４と挿入ローラ１３との間で挟み込む。挿入ローラ１３は駆動モータ（メディアフィードモータ）によって駆動され、従動ローラ１４との間で挟んだ記録メディア２をテーブル２１に向けて引き込む。図１１（ｂ）），（Ｓ２）。
【００９６】
メディア搬送部２０は、駆動モータ（サイドガイドモータ）によってサイドガイド２３を駆動し、挿入された記録メディア２の一方の側部にプレッシャーローラ２４を押し当てて搬送用ローラ２２に向けて押す。ここで、搬送用ローラ２２はテーブル２１に対して固定されているため、プレッシャーローラ２４で押された記録メディア２の幅方向の他方の側部は、メディア搬送用ローラ２２の位置に位置決めされ、整列される（図１１（ｃ）），（Ｓ３）。
【００９７】
メディア搬送用ローラ２２に整列された記録メディア２は、このメディア搬送用ローラ２２の駆動によって奥行き方向に向かって送られる。テーブル２１の奥には、コネクタ３を縦方向に重ねて配置したコネクタラック４が上下動自在に設けられ、記録メディア２の搬送方向の延長上にコネクタラック４のラック端面４ａ、あるいは、コネクタ３の挿入口に設けたストッパ４ｂが位置するように、コネクタラック４の高さが調整される。これにより、記録メディア２をコネクタ３方向に搬送したときに、記録メディア２の奥行き方向の先端がラック端面４ａ、あるいは、ストッパ４に当接するようにして、記録メディア２の奥行き方向の位置決めを行う。メディア搬送用ローラ２２で送られた記録メディア２は、その前端部をコネクタラック４のラック端面４ａに当接して停止する。これによって、記録メディア２の奥行き方向の整列が行われる。
【００９８】
上記した幅方向の整列と奥行き方向の整列によって、記録メディア２はメディア識別を行う位置に位置決めされる（図１２（ａ）），（Ｓ４）。
【００９９】
記録メディア２をメディア識別部の所定位置に位置決めした後、挿入された記録メディア２の種別、及び表裏を判定する（図１２（ｂ）），（Ｓ５）。
【０１００】
メディア識別によって識別した記録メディアの種別に応じて、対応するコネクタ３を選択し（Ｓ６）、選択したコネクタ３が記録メディア２と同じ高さレベルとなるように、コネクタラック４を図示しない駆動モータによって昇降させる（Ｓ７）。
【０１０１】
コネクタ３の高さがテーブル２１上の記録メディア２と同じ高さに位置合わせした後、メディア搬送用ローラ２２とプレッシャーローラ２４とによって、記録メディア２をコネクタ３内に搬入し、その後、プッシュレバー４１によってコネクタ３内に押し込んで、接続を行う（図１２（ｃ）），（Ｓ８）。コネクタ３は、装着された記録メディア２と電気的に接続してデータを読み取る（Ｓ９）。
【０１０２】
次に、記録メディアを抜き取る動作について説明する。プッシュレバー４１によって、記録メディア２の後端部を押して（図１３（ｂ））、プッシュ−プッシュ型のコネクタから記録メディア２を抜き取し、テーブル２１上に戻す（図１３（ｃ）），（Ｓ１０）。
【０１０３】
メディア搬送用ローラ２２を逆方向に駆動して、テーブル２１上に戻した記録メディア２を記録メディア挿入／排出部１０に向けて搬送する。このとき、プッシュレバー４１を跳ね上げて、搬送される記録メディア２との干渉を回避する（図１４（ａ）），（Ｓ１１）。
【０１０４】
記録メディア挿入／排出部１０は、挿入ローラ１３を逆回転させることによって、記録メディア２をメディア挿入口１９から排出する。このとき、記録メディア２の挿入時に上方に移動した従動ローラ１４は挿入時の高さが維持されているため、記録メディア搬送部２０によって戻された記録メディア２は、挿入ローラ１３と従動ローラ１４との間にそのまま挿入され、挿入ローラ１３によってメディア挿入口１９に向けて送り出される。
【０１０５】
このとき、記録メディア２の後端部は、シャッター１１を挿入時とは逆方向から押すため、シャッター１１は逆方向に回動する。従動ローラ１４は、このシャッターの逆方向の回動に連動して元に位置に戻る（図１４（ｂ）），（Ｓ１２）。
【０１０６】
次に、図１５〜図２２を用いて本発明の記録メディア識別装置が備える記録メディア挿入／排出部の概略構成および概略動作を説明する。
【０１０７】
図１５は、記録メディア挿入／排出部の概略構成を示す図である。図１５において、記録メディア挿入／排出部１０は、メディア挿入口１９の裏側に隣接して設けられ、記録メディア２を装置内に挿入する動作と、記録メディア２を装置外に排出する動作を行う。
【０１０８】
記録メディア挿入／排出部１０は、メディア挿入口１９の前方位置に回動自在に軸支されるシャッター１１（図１５では破線で示している）を備える。このシャッター１１は、シャッター用のバネ部材１８Ａによってメディア挿入口１９を閉じる位置に付勢される。このシャッター用バネ部材１８Ａがシャッター１１を戻す復元力は、記録メディア２を装置内に挿入する力よりも小さく設定される。これにより、記録メディア２の先端部分をシャッター１１に押し当てることによって、シャッター１１を容易に開くことができる。シャッター１１の両端にはシャッターギア１２ａ、１２ｂが設けられ、シャッター１１とともに回動自在に軸支されている。
【０１０９】
また、記録メディア挿入／排出部１０は、記録メディア２を挟むことで挿入動作および排出動作を行うローラ駆動部１５を備える。このローラ駆動部１５は、ＭＦモータ（メディアフィードモータ）５２によって駆動される挿入ローラ１３と、挿入ローラ１３の動きに従って回転する従動ローラ１４とを備える。
【０１１０】
挿入ローラ１３は、ＭＦモータ５２によって駆動される駆動軸１３Ａに取り付けられる。一方、従動ローラ１４は、挿入ローラ１３に対して対向し、支持軸が上下方向に移動自在に支持されるとともに、従動ローラ用バネ材１８Ｂによって、常時、挿入ローラ１３の方向に付勢される。従動ローラ１３は、従動ローラ用バネ材１８Ｂによる付勢されることによって、記録メディア２を挿入ローラ１４に押し付ける。これによって、記録メディア２を搬送する際に挿入ローラ１４が空回りすることを防ぐ。なお、図１５では、挿入ローラ１４に近い位置にある状態の従動ローラ１３を実線で示し、上方に移動した状態の従動ローラ１３を破線で示している。
【０１１１】
この従動ローラ１３の上方への移動は、シャッター１１が回動する動作に従って行われる。シャッター１１の両端に取り付けられたシャッターギア１２ａ，１２ｂには、カムギア１６ａ，１６ｂが噛み合い、シャッター１１の開閉に応じてカムギア１６ａ，１６ｂが回動する。このカムギア１６ａ，１６ｂに対して、レバー１７ａ、１７ｂがカムギア１６ａ，１６ｂと同軸にフリーな状態で回転自在に取り付けられる。レバー１７ａ、１７ｂの回動は、カムギア１６ａ，１６ｂのカムと係合することで行われる。なお、カムギア１６ａ，１６ｂおよびレバー１７ａ、１７ｂは、挿入ローラ１３の駆動軸１３Ａと同心軸上に、駆動軸１３Ａとはフリーの状態で設けることができる。
【０１１２】
このレバー１７ａ，１７ｂは支持軸の中心からの距離を異にする段部１７Ｂを有し、この段部１７Ｂは従動ローラ１４を所定高さに支持する支持部の役をなす。
【０１１３】
シャッター１１が記録メディア２によって押されて回動すると、シャッター１１に取り付けられたシャッターギア１２ａ，１２ｂが回動し、このシャッターギア１２ａ，１２ｂと噛み合うカムギア１６ａ，１６ｂが回動する。カムギア１６ａ，１６ｂが回動すると、レバー１７ａ，１７ｂはカムで押されて回動して、従動ローラ１４を押し上げる。この従動ローラ１４が押し上げられる高さは、シャッター１１の回動角度に応じて定まる。シャッター１１の回動角度は記録メディア２の厚さに対応しているため、従動ローラ１４が押し上げられる高さは、記録メディア２の厚さに対応することになる。
【０１１４】
レバー１７ａ，１７ｂは、支持軸に対して固定されない軸孔１７Ａによってフリーの状態で取り付けられているため、カムギア１６ａ，１６ｂが逆方向に回動して逆方向から押すまで、従動ローラ１４を保持位置に保持する。
【０１１５】
一方、記録メディア２が排出される場合には、記録メディア２はシャッター１１を逆方向から押して逆方向に回動させる。シャッター１１が逆方向に回動することによって、シャッターギア１２ａ，１２ｂ、およびカムギア１６ａ，１６ｂは逆方向に回動し、従動ローラ１４を支持していたレバー１７ａ，１７ｂの段部１７Ｂが外れる。従動ローラ１４がレバー１７ａ，１７ｂの段部１７Ｂから外れると、従動ローラ１４を押し下げる方向に付勢する従動ローラ用バネ部材１８Ｂによって、従動ローラ１４は挿入ローラ１３側に押され、初期位置に戻される。
【０１１６】
記録メディア挿入／排出部１０は、記録メディア２を装置内に挿入する際の動作と、記録メディア２を装置外に排出する際の動作は、その駆動方向が逆方向であり、排出時において従動ローラ１４を保持位置から初期位置に戻す等以外は、ほぼ同様である。
【０１１７】
記録メディアを挿入するときの動作を、図１６のフローチャートおよび図１７，図１８の動作説明図を用いて説明する。
【０１１８】
記録メディア２をメディア挿入口１９から挿入すると（図１７（ａ））（Ｓ２１）、記録メディア２はシャッター１１を押して回動させる（Ｓ２２）。シャッター１１の回動に伴ってシャッターギア１２ａ，１２ｂが回動し（Ｓ２３）、このシャッターギア１２ａ，１２ｂと噛み合うカムギア１６ａ，１６ｂを回動する（Ｓ２４）。
【０１１９】
カムギア１６ａ，１６ｂの回動に伴って、カムギア１６ａ，１６ｂに設けられたカムがレバー１７ａ，１７ｂと接触して回動させる（図１７（ｂ））（Ｓ２５）。レバー１７ａ，１７ｂは従動ローラ１４の従動軸１４Ａを押し上げ、従動ローラ１４を上昇させる（図１７（ｂ））（Ｓ２６）。
【０１２０】
レバー１７ａ，１７ｂが、その段部１７Ｂが従動軸１４Ａを支持する位置まで回動すると、段部１７Ｂは従動軸１４Ａを支持し、従動ローラ１４をその段部１７Ｂで定まる高さに保持する（図１７（ｃ））（Ｓ２７）。
【０１２１】
段部１７Ｂが設けられる角度位置、記録メディア２の厚さ、およびこの厚さに対応してシャッター１１が回動する角度を対応して設定することによって、記録メディア２がシャッター１１を通過中は従動ローラ１４はその高さ位置に保持される。
【０１２２】
記録メディア２がシャッター１１を通過すると（図１８（ａ））（Ｓ２８）、シャッター１１は、バネ部材１８Ａによって元の位置に復帰する（図１８（ｂ））（Ｓ２９）。
【０１２３】
次に、記録メディアを排出するときの動作を、図１９のフローチャートおよび図２０，図２１の動作説明図を用いて説明する。
【０１２４】
記録メディアを排出する場合には、記録メディア２はシャッター１１を逆方向から押す。このとき、カムギア１６ａ，１６ｂおよび従動ローラ１４は、記録メディア２が挿入されてローラ駆動部１５を通過するときの位置に保持されている（図２０（ａ），（ｂ））（Ｓ３１）。
【０１２５】
シャッター１１が逆方向に押されると、カムギア１６ａ，１６ｂが逆方向に回動する（図２０（ｃ））（Ｓ３２）。カムギア１６ａ，１６ｂに設けられるカムの突起部分は、直ちにレバー１７ａ，１７ｂと接触して逆方向に回動させる（図２１（ａ））（Ｓ３３）。
【０１２６】
カムギアはシャッターとギア連結されているため、記録メディアを挿入した時には、記録メディアはシャッターを通過し、シャッターが初期位置に戻った時点で、カムも初期位置に戻る。このとき、カムとレバーは戻る方向にはほぼ隙間のない状態になる。したがって、シャッターが逆方向に押されると、直ちに、カムの突起部分はレバーを押すことになる。一方、記録メディアを挿入する時には、カムとレバーとの間に設けられた遊びを吸収することによって、レバーの位置を保持しながら、シャッターが初期位置に戻れるようにしている。このレバー１７ａ，１７ｂの回動によって、レバー１７ａ，１７ｂは従動ローラ１４から外れ、従動ローラ１４は従動ローラ用バネ部材１８Ｂに押されて、挿入ローラ１３側に戻される（図２１（ｂ））（Ｓ３４）。
【０１２７】
図２２は、レバーと従動ローラとの関係を説明するための図である。図２２（ａ）はレバー１７の一構成例を示している。このレバー１７は、軸孔１７Ａを軸１３Ａに対して回転自在に保持される。レバー１７は、従動ローラ１４を一時的に保持するための段部１７Ｂを備える。この段部１７Ｂは複数設けることができ、各段部１７Ｂ１、１７Ｂ２は、軸孔１７Ａの中心位置からの距離を異ならせることで、保持する従動ローラ１４の高さを異ならせることができる。
【０１２８】
また、この各段部１７Ｂ１，１７Ｂ２の段部面は、レバー１７が従動ローラ１４を保持する保持角度に停止したとき、水平面から所定角度θだけ傾斜させる形状とすることによって、レバー１７や従動ローラ１４が振動したときに、従動ローラ１４が段部面から外れないようにすることができる。
【０１２９】
図２２（ｂ）、図２２（ｃ）〜（ｅ）は、レバー１７の回動角度と従動ローラ１４の高さの関係を示している。なお、図２２（ｂ）は３つの角度状態を一図内に重ねて示している。また、図２２（ｃ）は記録メディア２が挿入される前の状態を示し、図２２（ｄ）は薄い記録メディア２が挿入されたときの状態を示し、図２２（ｅ）は厚い記録メディア２が挿入されたときの状態を示している。
【０１３０】
記録メディア２の厚さが薄い場合には、従動ローラ１４はレバー１７の段部１７Ｂ１によって保持される。段部１７Ｂ１の軸孔１７Ａの中心位置からの距離を短く設定することによって、薄い記録メディア２と対応した低い高さ位置に従動ローラ１４を保持することができる。
【０１３１】
一方、記録メディア２の厚さが厚い場合には、従動ローラ１４はレバー１７の段部１７Ｂ２によって保持される。段部１７Ｂ２の軸孔１７Ａの中心位置からの距離を長く設定することによって、厚い記録メディア２と対応した高い高さ位置に従動ローラ１４を保持することができる。
【０１３２】
レバー１７が備える段部のうちの何れの段部で保持するかは、上述したように、シャッター１１の回動角度とレバー１７の回動角度と間で設定する関連付けによって定めることができる。
【０１３３】
次に、図２３〜図２６を用いて本発明の記録メディア識別装置が備える記録メディア識別部の概略構成および概略動作を説明する。
【０１３４】
図２３において、記録メディア識別部３０は、透過型センサ３１と反射型センサ３２を備える。透過型センサ３１は、識別対象の記録メディアの種別と表裏を識別するための光学式センサであり、記録メディアの寸法や形状に応じて設置した各センサの出力の組み合わせから、その記録メディアの種別と表裏を識別する。また、反射型センサ３２は、識別対象の記録メディアの表裏を識別するための光学式センサであり、記録メディアの電極端子に応じて設置し、電極で反射された光の強度を電極以外に部分で反射された光の強度との差異から、その記録メディアの表裏を識別する。
【０１３５】
透過型センサ３１と反射型センサ３２はテーブル２１に設けられ、テーブル２１に搬送された記録メディア２の種別および表裏を検出する。記録メディア２の識別は、テーブル２１の所定位置に設けられた透過型センサ３１と反射型センサ３２によって行うため、正確な識別を行うには、記録メディア２のテーブル２１に対する位置決めを行う必要がある。
【０１３６】
記録メディア２の幅方向の位置決めは、上述したように、プレッシャーローラ２４によって記録メディア２をメディア搬送ローラ２２に押し付けることで行われる。
【０１３７】
他方、記録メディア２の奥行き方向に位置決めは、記録メディア２の前端端部をコネクタラック４のラック端面４ａあるいはストッパ４ｂに当接させ、このラック端面４ａあるいはストッパ４ｂを位置決めの基準として行う。なお、この位置決めを行うために、コネクタラック４の高さを調節して、ラック端面４ａあるいはストッパ４ｂとテーブル２１上の記録メディア２とが同じ高さレベルとなるようにしておく。
【０１３８】
上記したように、記録メディア２は幅方向および奥行き方向において位置決めされるため、記録メディア２と透過型センサ３１および反射型センサ３２との位置関係を、識別情報では常に同位置に定めることができる。
【０１３９】
図２３（ａ）の位置で種別および表裏を検出した後、種別に応じたコネクタ３を選択し、図２３（ｂ）に示すように、コネクタラック４を昇降させて、選択したコネクタ３がテーブル２１上の記録メディア２と同じ高さレベルとなるように設定する。
【０１４０】
次に、記録メディア識別部３０が備える透過型センサ３１および反射型センサ３２の配置について、図２４〜図２６を用いて説明する。
【０１４１】
図２４は、２種類の記録メディアについてその種別と表裏を識別する場合の例を示している。
【０１４２】
図２４（ａ）は、透過型センサ３１と反射型センサ３２の配置例を示している。記録メディア識別部３０が備えるセンサは、奥行き方向に所定幅の帯状領域Ｒ１に配置された複数のセンサ３１ａ，３１ｄ，３１ｅと、幅方向に所定幅の帯状領域Ｒ２に配置された複数のセンサ３１ａ，３１ｂ，３１ｃとを備える。ここで、センサ３１ａは帯状領域Ｒ１と帯状領域Ｒ２が重なる位置に設けられる。なお、この帯状領域Ｒ１と帯状領域Ｒ２とが重なる位置に設けるセンサは１個に限らず複数個としてもよい。
【０１４３】
また、図２４（ａ）では、反射型センサ３２を幅方向に所定幅の帯状領域Ｒ２に配置することによって、記録メディアが備える接点等の反射部分や、切り欠きを検出するようにすることもできる。
【０１４４】
図２４（ｂ）は、記録メディア識別部３０が識別する２種類の記録メディアａ，ｂを示している。また、記録メディアａと記録メディアｂはとも前先端の角部に切り欠きを有するものとする。
【０１４５】
ここで、記録メディアａ，ｂの各角部分に対応する位置に透過型センサＡ〜Ｅを配置する。透過型センサＡ〜Ｅのうちで、記録メディアａに対応するものは透過型センサＡ，Ｂ，Ｄであり、記録メディアｂに対応するものは透過型センサＡ，Ｃ，Ｅである。なお、透過型センサＡ〜Ｅは、図２４（ａ）中のセンサ３１ａ、３１ｂ、３１ｃ、３１ｄ、３１ｅに対応している。
【０１４６】
ここで、記録メディアａが表の状態では、透過型センサＡ，Ｄから出力が検出され（図２４（ｃ））、記録メディアａが裏の状態では、透過型センサＢ，Ｄから出力が検出される（図２４（ｄ））。また、記録メディアｂが表の状態では、透過型センサＡ，Ｂ，Ｄ，Ｅから出力が検出され（図２４（ｅ））、記録メディアｂが裏の状態では、透過型センサＢ，Ｃ，Ｄ，Ｅから出力が検出される（図２４（ｆ））。
【０１４７】
これらの出力関係から、記録メディアａ，ｂの種別と表裏とを、透過型センサＡと透過型センサＥの２つのセンサ出力の組み合わせよって識別することができる。このセンサと出力の関係を表１に示す。
【０１４８】
【表１】
2008257281.tif 000003
【０１４９】
図２５は、図２４の例と同様に、２種類の記録メディアについてその種別と表裏を識別する場合の例を示している。図２５（ａ）は、２種類の記録メディアａ，ｃを示している。また、記録メディアａと記録メディアｃはとも前先端の角部に切り欠きを有するものとする。
【０１５０】
ここで、記録メディアａ，ｃの各角部分に対応する位置に透過型センサＡ〜Ｅを配置する。透過型センサＡ〜Ｅのうちで、記録メディアａに対応するものは透過型センサＡ，Ｂ，Ｄであり、記録メディアｃに対応するものは透過型センサＡ，Ｃ，Ｆである。
【０１５１】
記録メディアａが表の状態では、透過型センサＡ，Ｄから出力が検出され（図２５（ｂ））、記録メディアａが裏の状態では、透過型センサＢ，Ｄから出力が検出される（図２５（ｃ））。また、記録メディアｃが表の状態では、透過型センサＡ，Ｂ，Ｆから出力が検出され（図２５（ｄ））、記録メディアｂが裏の状態では、透過型センサＢ，Ｃ，Ｆから出力が検出される（図２５（ｅ））。
【０１５２】
これらの出力関係から、記録メディアａ，ｃの種別と表裏とを、透過型センサＡと透過型センサＤの２つのセンサ出力の組み合わせよって識別することができる。このセンサと出力の関係を表２に示す。
【０１５３】
【表２】
2008257281.tif 000004
【０１５４】
図２６は、３種類の記録メディアについてその種別と表裏とを識別する場合の例を示している。図２６（ａ）は、３種類の記録メディアａ，ｂ，ｃを示している。また、記録メディアａ〜ｃはとも前先端の角部に切り欠きを有するものとする。
【０１５５】
３種類の記録メディアａ，ｂ，ｃについても、種別と表裏は、透過型センサＡ〜透過型センサＦのうち、４つのセンサ出力の組み合わせよって識別することができる。このセンサと出力の関係を表３に示す。
【０１５６】
【表３】
2008257281.tif 000005
【０１５７】
次に、図２７〜図２９を用いて本発明の記録メディア識別装置が備える記録メディア着脱部の概略構成および概略動作を説明する。
【０１５８】
記録メディア識別部３０によって記録メディアの種別および表裏を識別し、種別に対応するコネクタ３の高さを合わせた後、記録メディア２をコネクタ３内に装着する。この記録メディア２のコネクタ内への装着は、記録メディア２を搬送ローラ用２２でコネクタ方向に搬送した後（図２７（ａ））、記録メディア着脱部４０が備えるプッシュレバー４１で記録メディア２の後端部を押すことによって行う。ここで、コネクタ３はプッシュ−プッシュ型であり、記録メディア２をコネクタ３の挿入口に差し込んで押すことによって記録メディア２の装着が行われ、また、コネクタ３に装着された記録メディア２の後端部を再度押すことによって記録メディア２の取り外しが行われる（図２７（ｂ））。
【０１５９】
図２８は、記録メディア着脱部の概略構成を説明するための図である。図２８（ａ）において、記録メディア着脱部４０は、プッシュレバー４１と、プッシュガイド４２と、ガイドロッド４３と、ガイド溝４４と、アーム４５、およびピン４６を備える。アーム４５は、ガイドロッド４３に対して軸方向にスライド自在であると共に、軸の周りで回動自在に取り付けられている。また、アーム４５の一端にはピン４６が設けられ、ガイド溝４４に沿って移動自在である。また、アーム４５の他端にはプッシュレバー４１が設けられる。プッシュレバー４１とピン４６とは、ガイドロッド４３に対して対称の位置にあるため、ピン４６がガイド溝４４に沿って上下動することで、プッシュレバー４１も上下動する。
【０１６０】
プッシュレバー４１は、記録メディア２の後端部を押す部材であり、アーム４５の一端に設けられる。また、プッシュガイド４２とガイドロッド４３が、記録メディア２の搬送方向に沿って配置される。プッシュガイド４２には、アーム４５の他端を案内するガイド溝４４が設けられ、他方、ガイドロッド４３には、アーム４５をガイド軸方向に移動自在とする駆動機構（図示しない）が設けられるとともに、ガイドロッド４３の軸の周囲で回動自在に取り付けられている。
【０１６１】
プッシュレバー４１は、コネクタ３の挿入口付近の位置において、コネクタ３内に差し込まれた記録メディア２を更に奥に押し込んで、記録メディア２とコネクタ３との接続を行わせるための部材である。この動作を行う場合には、プッシュレバー４１は、記録メディア２と同じ高さレベルに合わせる必要がある。
【０１６２】
プッシュレバー４１は、記録メディアの搬送方向に移動自在であるとともに、搬送方向と直交する方向に回動自在とすることで、記録メディア２をコネクタ３方向への押し込み動作を行って、記録メディア２の装着と取り外しを行う。
【０１６３】
図２８（ａ）〜（ｃ）、図２９（ａ）〜（ｃ）は、プッシュレバー４１の各状態を示す。図中の右側はコネクタ側を示し、図中の左側は記録メディア識別装置１の挿入口側を示している。なお、図２９は、プッシュレバー４１と記録メディア２との位置関係を示している。
【０１６４】
図２８（ａ）、図２８（ａ）は初期位置を示し、図２８（ｂ），（ｃ）、図２９（ｂ）は記録メディア２が挿入された後に、プッシュレバー４１を記録メディア２の奥行き方向の後端位置に移動させる動作状態を示し、図２９（ｃ）は、プッシュレバー４１によって記録メディア２の奥行き方向の後端をコネクタ側に押す動作状態を示している。
【０１６５】
上記動作を行うために、アーム４５の一端のピン４６をガイド溝４４に挿入して移動自在とすると共に、アーム４５の途中部分をガイドロッド４３によって回転自在に支持する。また、ガイド溝４４は、搬送方向に沿って異なる高さ（Ｐ１，Ｐ２，Ｐ３）として、上下方向でループを形成している、このループ溝において、最下位の位置を初期位置とする。これによって、アーム４５は、ガイドロッド４３に沿って移動自在となるとともに、この移動に伴ってアーム４５の一端のピン４６がガイド溝４４に沿って移動し、プッシュレバー４１の高さが変化する。
【０１６６】
図２８（ａ）、図２９（ａ）に初期位置では、アーム４５のピン４６はガイド溝４４の最も低い位置にあるため、プッシュレバー４１は跳ね上げられ、記録メディアの移動経路よりも高い位置となる。この位置とすることで、プッシュレバー４１が記録メディアと干渉することが避けられ、記録メディアの搬送を妨げることがない。これによって、記録メディア２がテーブル２１上をコネクタ３に向かって搬送されている間では、記録メディア２の搬送動作は妨げられない。アーム４５が初期位置にあることは、初期位置に対応して設置したセンサによってアーム４５等を検出することで確認することができる。
【０１６７】
プッシュレバー４１が跳ね上げられている間に、記録メディアをコネクタ側に搬送させる。記録メディアをコネクタの挿入口内に押し込んで接続を行うには、プッシュレバー４１を記録メディアの後方であって、記録メディアの後端と同じ高さとする必要がある。
【０１６８】
そこで、図２８（ｂ）に示すように、ガイドロッド４３を駆動することよってピン４６を挿入側に戻した後、ループ溝の上溝に持ち上げ、その後、コネクタ側に移動させる。これによって、プッシュレバー４１は跳ね上がった状態から下がった状態となり、プッシュレバー４１を記録メディアの後方位置に位置すると共に、記録メディアの後端と同じ高さとする。
【０１６９】
さらに、図２８（ｃ）、図２９（ｂ）に示すように、ガイドロッド４３を駆動することよって、ピン４６を溝４４に沿ってコネクタ側に移動させ、プッシュレバー４１をコネクタ側（図２９の右側）に向かって記録メディア２を押して、コネクタ３に装着し接続を行う。
【０１７０】
次に、図３０を用いて本発明の記録メディア識別装置の制御系を説明する。図３０において、記録メディア識別装置１は、装置全体の動作を制御する制御回路６１を備える他に、センサ（透過型センサ３１、反射型センサ３２）の検出出力に基づいて記録メディア２の種別および表裏を識別する記録メディア判別回路６２、コネクタに接続された記録メディア２に格納されるデータを読み出すデータ読み取り回路６３を備える。
【０１７１】
制御回路６１は、シャッタースイッチ３３の検出出力を入力し、ＳＧモータ（サイドガイドモータ）５１、ＭＦ（メディアフィードモータ）５２、挿入レバーモータ５３、コネクタラック４を昇降させるコネクタラック用モータ５４の各モータの駆動を制御する制御信号を出力し、センサ３１，３２の駆動を開始する制御信号を出力する。なお、ＭＦ（メディアフィードモータ）５２は、挿入ローラ１３を駆動するモータと、メディア搬送用ローラ２２を駆動するモータを兼ねることができる。
【０１７２】
また、制御回路６１は、記録メディア判別回路６２で判別して得られた記録メディアの種別信号を入力して、コネクタラック用モータ５４の駆動を制御し、種別に対応したコネクタを選択して、記録メディアを挿入する所定位置に移動させる。
【０１７３】
図３１〜図３４を用いて本発明の記録メディア識別装置による一連の動作を説明する。図３１，３２は一連の動作を説明するためのフローチャートであり、図３３，３４は一連の動作を説明するための動作図である。
【０１７４】
シャッター１１の近傍には、シャッターが開動作を開始したことを検出するシャッタースイッチ３３が設けられる。記録メディア２が挿入されてシャッター１１を押すと（図３３（ａ））（Ｓ４１）、シャッタースイッチ３３は“ON”となって、シャッター１１の動作を検出する（Ｓ４２）。制御回路６１は、このシャッタースイッチ３３の検出信号に基づいて、ＭＦモータ５２を入力して、挿入ローラ１３とメディア搬送用ローラ２２の駆動を開始する（Ｓ４３）。
【０１７５】
記録メディア２がシャッター１１を通過すると（図３３（ｂ））、シャッター１１はシャッター用バネ部材１８Ａによって元の位置に戻る。シャッター１１が元の位置に戻ることによって、シャッタースイッチ３３は“OFF”となる（Ｓ４４）。
【０１７６】
メディア搬送用ローラ２２によって記録メディア２がテーブル２１上に搬送されるまでに十分な時間が経過した後（Ｓ４５）、制御回路６１はＳＧモータ５１を起動して、記録メディアをメディア搬送用ローラ２２に押し付ける（図３３（ｃ））（Ｓ４６）。
【０１７７】
ＳＧモータ５１の起動と同時に、制御回路６１はセンサ３１，３２の駆動を開始して、センサから検出信号を入力する（Ｓ４７）。
【０１７８】
検出信号に基づいて、記録メディア２の前端位置がストッパ位置に位置決めされたか否かを検出する。（図３３（ｄ））（Ｓ４８）。
【０１７９】
記録メディアがストッパ位置に位置決めされ、表裏が正しく挿入されたことが確認された場合には、制御回路６１はＭＦモータ５２，ＳＧモータ５１の駆動を停止し（Ｓ４９）、センサ３１，３２の検出出力に基づいて記録メディア判別回路６２で記録メディア２の種別および表裏が正しく挿入されているかを判別した後、センサ３１，３２の駆動を停止する（Ｓ５０）。記録メディアの表裏が正しく挿入されていない場合には、制御回路６１は、メディア搬送用ローラ２２を反転させて、記録メディア２を排出するように設定することができる。
【０１８０】
制御回路６１は、記録メディア判別回路６２で判別した記録メディアの種別に基づいて対応するコネクタを選択し、選択したコネクタが所定位置（テーブル上の記録メディアと同レベルの高さ）となるようにラック用モータ５４を駆動制御して、コネクタラック４を昇降する（Ｓ５１）。
【０１８１】
制御回路６１は、挿入レバーモータ５３を駆動して、プッシュレバー４１を記録メディア２の後端部まで移動させる（図３３（ｅ））（Ｓ５２）。なお、プッシュレバー４１のメディア後端部までの移動をコネクタラックの昇降動作と同時に行うことによって動作時間を短縮することが可能である。さらに、プッシュレバーモータ５３を駆動して、プッシュレバー４１により記録メディア２の後端部を押してコネクタ３に装着する（図３３（ｆ））（Ｓ５３）。記録メディア２を装着した後、プッシュレバー４１は記録メディア２との間に所定のクリアランスをとるために後退して停止させる（Ｓ５４）。
【０１８２】
データ読み取り回路６３は、コネクタ３に接続された記録メディア２から格納されているデータを読み出す（Ｓ５５）。
【０１８３】
データを読み出した後、制御回路６１は、プッシュレバーモータ５３を駆動して、記録メディア２の後端部を規定量分押してコネクタ３から排出させる。コネクタ３はプッシュ−プッシュ型を用いることによって、コネクタ３から記録メディア２を排出することができる（図３４（ａ））（Ｓ５６）。
【０１８４】
プッシュレバー４１は、その後、記録メディアの搬送に支障が無い位置、例えば、初期位置に移動させて停止させて退避させる（Ｓ５７）。
【０１８５】
次に、制御回路６１は、ＭＦモータ５２を駆動してメディア搬送用ローラ２２によって記録メディア２を搬送する（図３４（ｂ））（Ｓ５８）。なお、プッシュレバー４１を退避させる動作を行いながらメディア搬送用ローラ２２によって記録メディア２を搬送させることで、動作時間を短縮することも可能である。記録メディア２の搬送によって、シャッター１１の反対側（装置側）が押されてシャッタースイッチ３３が“ON”となると（図３４（ｃ））（Ｓ５９）、制御回路６１はＭＦモータ５２を駆動して挿入ローラ１３によって記録メディア２を規定量分送った後（Ｓ６０）、ＭＦモータ５２を停止する。これによって、記録メディア２は、メディア挿入口１９から一部を出した状態で停止する。なお、この状態では、シャッター１１は開いた状態にあるため、シャッタースイッチは“ON”の状態のままである（図３４（ｄ））（Ｓ６１）。
【０１８６】
利用者によって、メディア挿入口１９から記録メディア２が抜き取られ（図３４（ｅ））（Ｓ６２）、シャッタースイッチが“OFF”の状態となると（Ｓ６３）、制御回路６１はＳＧモータ５１を駆動制御して初期位置に戻した後（Ｓ６４）、装置の全動作を停止する（Ｓ６５）。
【０１８７】
なお、上記した動作と各部に状態の関係を以下の表４に示す。
【０１８８】
【表４】
2008257281.tif 000006
【０１８９】
以下、本発明の記録メディア識別装置によって識別する記録メディアの例について図３５および表５を用いて説明する。
【０１９０】
記録メディアとして、例えば、miniSD（商標）、ＳＤ（商標）、スマートメディア（商標）（ＳＭ３．３，ＳＭ５）、メモリースティック（商標）、MMC（商標）、RS-MMC（商標）、xD−Picture Card（商標）、コンパクトフラッシュＣＦ（登録商標）、マイクロドライブＭｄ（登録商標）等に適用することができる。
【０１９１】
例えば、透過型センサを各記録メディアの寸法に応じて図３５に示すａ〜ｈの位置に配置した場合には、透過型センサから検出される出力の組み合わせ（表５に示す）によって記録メディアの種別および表裏を判定することができる。
【０１９２】
なお、ＸＤの識別については、反射型センサによってメディアの接点部分を検出することで行うことができ、また、ＣＦ／ＭＤについては、メカニカルスイッチによってメディアの切り欠き部分を検出することでＣＦを識別し、メディア挿入口の形状によってＭＤを識別することができる。ＭＤは、最も断面が大きいメディアであり、表裏非対称の形状であるため、この形状上の特徴から識別することができる。
【０１９３】
【表５】
2008257281.tif 000007
【図面の簡単な説明】
【０１９４】
【図１】本発明の記録メディア識別装置の概略構成を説明するためのブロック図である。
【図２】本発明の記録メディア識別装置の概略構成を説明するための構成図である。
【図３】本発明の記録メディアの位置決め部位を説明するための図である。
【図４】本発明のコネクタの移動機構の一構成例を説明するための図である
【図５】本発明のコネクタの移動動作の動作例を説明するためのフローチャートである。
【図６】本発明のコネクタの移動動作の動作例を説明するための動作図である。
【図７】本発明のコネクタの移動動作の動作例を説明するための動作図である。
【図８】本発明のコネクタの移動動作の動作例を説明するための動作図である。
【図９】本発明のコネクタの移動動作の動作例を説明するための動作図である。
【図１０】本発明の記録メディア識別装置の動作例を説明するためのフローチャートである。
【図１１】本発明の記録メディア識別装置の動作例を説明するための動作図である。
【図１２】本発明の記録メディア識別装置の動作例を説明するための動作図である。
【図１３】本発明の記録メディア識別装置の動作例を説明するための動作図である。
【図１４】本発明の記録メディア識別装置の動作例を説明するための動作図である。
【図１５】本発明の記録メディア挿入／排出部の概略構成を示す図である。
【図１６】本発明の記録メディアを挿入するときの動作を説明するためのフローチャートである。
【図１７】本発明の記録メディアを挿入するときの動作を説明するための動作説明図である。
【図１８】本発明の記録メディアを挿入するときの動作を説明するための動作説明図である。
【図１９】本発明の記録メディアを排出するときの動作を説明するためのフローチャートである。
【図２０】本発明の記録メディアを排出するときの動作を説明するための動作説明図である。
【図２１】本発明の記録メディアを排出するときの動作を説明するための動作説明図である。
【図２２】本発明のレバーと従動ローラとの関係を説明するための図である。
【図２３】本発明の記録メディア識別装置が備える記録メディア識別部の概略構成を説明するための図である。
【図２４】本発明の記録メディア識別装置が備えるセンサの概略構成を説明するための図である。
【図２５】本発明の記録メディア識別装置が備えるセンサの概略構成を説明するための図である。
【図２６】本発明の記録メディア識別装置が備えるセンサの概略構成を説明するための図である。
【図２７】本発明の記録メディア識別装置が備える記録メディア着脱部の概略構成を説明するための図である。
【図２８】本発明の記録メディア着脱部の概略構成を説明するための図である。
【図２９】本発明の記録メディア着脱部の動作を説明するための動作図である。
【図３０】本発明の記録メディア識別装置の制御系を説明するための図である。
【図３１】本発明の記録メディア識別装置による一連の動作を説明するためのフローチャートである。
【図３２】本発明の記録メディア識別装置による一連の動作を説明するためのフローチャートである。
【図３３】本発明の記録メディア識別装置による一連の動作を説明するための動作図である。
【図３４】本発明の記録メディア識別装置による一連の動作を説明するための動作図である。
【図３５】本発明の記録メディア識別装置が備える記録メディア識別部の概略構成を説明するための図である。
【符号の説明】
【０１９５】
１  記録メディア識別装置
２  記録メディア
３  コネクタ
３ａ．３ａ１，３ａ２  スロット
４  コネクタラック
４ａ  ラック端面
４ｂ，４ｂ１，４ｂ２  ストッパ部
１０  記録メディア挿入／排出部
１１  シャッター
１２，１２ａ，１２ｂ  シャッターギア
１３  挿入ローラ
１４  従動ローラ
１４Ａ  従動軸
１５  ローラ駆動部
１６，１６ａ，１６ｂ  カムギア
１７，１７ａ，１７ｂ  レバー
１７Ａ  軸孔
１７Ｂ  段部
１８Ａ  シャッター用バネ部材
１８Ｂ  従動ローラ用バネ部材
１９  メディア挿入口
２０  記録メディア搬送部
２１  テーブル
２２  メディア搬送ローラ
２３  サイドガイド
２４  プレッシャーローラ
３０  記録メディア識別部
３１  透過型センサ
３２  反射型センサ
３３  シャッタースイッチ
４０  記録メディア着脱部
４１  プッシュレバー
４２  プッシャーガイド
４３  ガイドロッド
４４  ガイド溝
４５  アーム
４６  ピン
５１  ＳＧモータ（サイドガイドモータ）
５２  ＭＦモータ（メディアフィードモータ）
５３  プッシュレバーモータ
５４  ラック用モータ
６１  制御回路
６２  記録メディア判別回路
６３  データ読み取り回路
【図１】
2008257281.tif 000008
【図２】
2008257281.tif 000009
【図３】
2008257281.tif 000010
【図４】
2008257281.tif 000011
【図５】
2008257281.tif 000012
【図６】
2008257281.tif 000013
【図７】
2008257281.tif 000014
【図８】
2008257281.tif 000015
【図９】
2008257281.tif 000016
【図１０】
2008257281.tif 000017
【図１１】
2008257281.tif 000018
【図１２】
2008257281.tif 000019
【図１３】
2008257281.tif 000020
【図１４】
2008257281.tif 000021
【図１５】
2008257281.tif 000022
【図１６】
2008257281.tif 000023
【図１７】
2008257281.tif 000024
【図１８】
2008257281.tif 000025
【図１９】
2008257281.tif 000026
【図２０】
2008257281.tif 000027
【図２１】
2008257281.tif 000028
【図２２】
2008257281.tif 000029
【図２３】
2008257281.tif 000030
【図２４】
2008257281.tif 000031
【図２５】
2008257281.tif 000032
【図２６】
2008257281.tif 000033
【図２７】
2008257281.tif 000034
【図３０】
2008257281.tif 000035
【図３１】
2008257281.tif 000036
【図３２】
2008257281.tif 000037
【図３３】
2008257281.tif 000038
【図３４】
2008257281.tif 000039
【図３５】
2008257281.tif 000040
【図２８】
2008257281.tif 000041
【図２９】
2008257281.tif 000042